(57)【特許請求の範囲】
【請求項１】
床部及び前記床部の縁部から延長された踏段部を有するポーチ又はテラスの構造に於いて、前記床部は鋼製又はプレキャストコンクリート製の基礎梁に支持され、該基礎梁に結合され且つコンクリートの型枠を支持する支持部を有する支持金具によって前記踏段部の裏側が支持されると共に、前記支持金具を埋設して前記踏段部の裏側にコンクリートが充填されていることを特徴とするポーチ又はテラスの構造。
【発明の詳細な説明】
【０００１】
【発明の属する技術分野】
本発明は、住宅の玄関ポーチや勝手口ポーチ或いはテラス等の構造に関するものである。
【０００２】
【従来の技術】
住宅建築では、玄関口や勝手口にポーチを形成し、或いは庭に面した部位にテラスを形成することがある。このようなポーチ或いはテラスは、天端レベルがグランドレベルよりも高い位置に設定されるため、打設された土間コンクリートにレベル調整しながらタイル工事を行って構築するのが一般的である。
【０００３】
ここで、一般的なポーチ或いはテラスの構造と施工手順について図７により説明する。先ず、目的の位置にコンクリートの台51（土間コンクリート）を作る。次に、台51の端部に設けた水糸を基準としてカラ練りモルタルを用いて通り及びレベルを調整しつつ、予めタイルを打ち込んだブロック状の段石52や縁石53を敷き並べる。その後、台51と縁石53の間に裏込めモルタル54を充填して両者を接合する。
【０００４】
次に、縁石53によって囲まれた台51上に下地モルタル55を形成し、この上に床部を構成する予めタイルを打ち込んだ平板56を敷き込む。その後、平板56の目地部に目地打ちを行い、更に、残った目地材を拭き取ることで、ポーチやテラス工事が終了する。
【０００５】
【発明が解決しようとする課題】
上記従来の工法では、段石や縁石及び平板を通り及びレベルを調整しつつ敷き並べる作業は高度な熟練が必要であり、仕上がり状態は施工者の技量に左右されるという問題がある。即ち、施工者の技量により、レベル調整の不具合による前記各部材のジョイント部に於ける段差（垂直方向のズレ）や、通り調整の不具合による目違い（水平方向のズレ、タイルの目地が揃わなくなる）が生じ易いという問題がある。
【０００６】
また段石と縁石は土間コンクリートの周囲の地面に打たれた下地モルタル57上に載置されているのみであり、両者は実質的に結合されていない。このため、人が乗降することにより、特に段石の部分が沈下し、該段石と縁石との継ぎ目にクラックが入り易いという問題がある。
【０００７】
本発明の目的は、施工者の技量に左右されることなく、且つ経時的にクラックの生じることのないポーチ又はテラスの構造を提供することにある。
【０００８】
【課題を解決するための手段】
上記課題を解決するために本発明に係るポーチ又はテラスの構造は、床部及び前記床部の縁部から延長された踏段部を有するポーチ又はテラスの構造に於いて、前記床部は鋼製又はプレキャストコンクリート製の基礎梁に支持され、該基礎梁に結合され且つコンクリートの型枠を支持する支持部を有する支持金具によって前記踏段部の裏側が支持されると共に、前記支持金具を埋設して前記踏段部の裏側にコンクリートが充填されていることを特徴とするものである。
【０００９】
上記ポーチ又はテラス（以下代表して「ポーチ」という）の構造では、床部は基礎梁によって支持され、踏段部は基礎梁に結合された支持金具によって支持される。前記基礎梁は支持金具を結合し或いは床部を支持する以前にレベル及び通り共に調整されており、該基礎梁に床部を取り付けると共に基礎梁に結合した支持金具に踏段部を取り付ける際に、これらの部材のレベルや通りを調整する必要がない。
【００１０】
更に、支持金具に設けた支持部によってコンクリートの型枠を支持し、該支持金具を埋設して踏段部の裏側にコンクリートを充填することによって、踏段部は裏側の全面がコンクリートに当接して支持されるため、極めて高い安定性を発揮することが出来る。
【００１１】
このため、施工者の技量に左右されることなく、均一で且つ安定したポーチを構成することが出来る。特に、踏段部が支持金具によって支持されるため、人が乗降しても床部に対して不等な沈下が生じることがなく、床部と踏段部の間にクラックが生じることがない。
【００１２】
【発明の実施の形態】
以下、上記ポーチの構造の好ましい実施形態について図を用いて説明する。図１はポーチの構造を示す断面図、図２はポーチの構造を説明する斜視図、図３はポーチの平面図、図４はプレキャストコンクリート製のベース部材を説明する図、図５は基礎梁に結合した支持金具の斜視図、図６はポーチを構成する際の施工手順を説明する図である。
【００１３】
図1〜図５に於いて、本実施例に係るポーチの構造は、建物の躯体を構成する本体部の梁１に取り付けられた基礎梁２であって予め設定された方向の基礎梁２に複数の支持金具３を結合し、基礎梁２によってポーチの床部を構成する縁端部材４と平部材５を支持すると共に、支持金具３によって踏段部６を支持して構成したものである。
【００１４】
本体部の梁１は、例えば後述する方法によって予め天端レベル（上フランジ１ａのレベル）及び通りが調整された状態で下フランジ１ｂ及びウエブ１ｃの一部がベースコンクリート７に埋設されて固定されている。そして梁１を基準としてポーチ或いはテラスが構成される。尚、ベースコンクリート７は後述するように、支持金具３の支持部３ｄに支持されると共に地盤に埋め殺しにされた型枠７ａによって周囲を規定されている。
【００１５】
本体部の梁１のウエブ１ｃであって基礎梁２と対向する位置には、ポーチの床部を構成する平部材５の一方の端部を支持する受けアングル８が固着されている。この受けアングル８は、ポーチの床部に設定された勾配に対応して基礎梁２の上フランジ２ａのレベルを基準として設定されている。
【００１６】
基礎梁２は受けアングル８と共に目的のポーチの面積と形状に応じた枠状に形成されており、該基礎梁２の端部は本体部の梁１のウエブ１ｃに接続され、且つ基礎梁２どうしが交わる端部は鋼製ポール９を介して接続されている。この鋼製ポール９は、本体部の梁１と同様にして天端レベルが調整されてベースコンクリート７によって固定されている。
【００１７】
上記の如く構成された基礎梁２に於いて、上フランジ２ａのレベルは本体部の梁１と同様にして調整され、且つ通り（図２のｘ，ｙ方向）も梁１と同様にして調整されている。また基礎梁２の上フランジ２ａ及びウエブ２ｃには所定のピッチで複数のボルト穴２ｄが形成されている。
【００１８】
支持金具３は基礎梁２に結合して踏段部６を支持するものであり、踏段部６を安定した状態で支持し得るように該踏段部６の重量、及び支持金具３の取付構造に応じて設定された間隔をもって基礎梁２のウエブ２ｃに固定されている。本実施例のように、支持金具３がベースコンクリート７に埋設されるような場合、支持金具３の基礎梁２に対する取付間隔は900 mm程度でも充分な強度を有する。
【００１９】
支持金具３は、基礎梁２のウエブ２ｃに取り付けられる取付片３ａと、踏段部６の裏面と当接して支持する載置片３ｂと、脚片３ｃとからなるクランク状に形成されている。取付片３ａにはボルト穴が形成されており、該ボルト穴及び基礎梁２のウエブ２ｃに形成したボルト穴２ｄにボルト10ａを挿通してナット10ｂを螺合することで、支持金具３は基礎梁２に結合する。また載置片３ｂには予め踏段部６を固定するためのナット11が溶接等の手段で固着されている。また脚部３ｃは少なくとも先端部位が地面に当接しており、これにより、支持金具３は一方側（取付片３ａ）が基礎梁２に結合されて支持されると共に他方側（脚部３ｃ）が地面によって支持されている。
【００２０】
本実施例に於いて、基礎梁２のウエブ２ｃに固定した支持金具３に型枠７ａが取り付けられており、該型枠７ａにベースコンクリート７を充填することで、支持金具３をベースコンクリート７に埋設している。
【００２１】
このため、支持金具３の脚部３ｃの外側の面には、型枠７ａを取り付けるために一対のフック状の支持部３ｄ（図５参照）が形成されている。また型枠７ａには支持部３ｄと係合する突起７ｂが形成されている。そして支持金具３を所定のピッチで基礎梁２のウエブ２ｃに取り付けた後、該支持金具３の支持部３ｄに型枠７ａの突起７ｂを係合させることで、ベースコンクリート７の外周を規定することが可能である。
【００２２】
尚、支持金具３に取り付けた型枠７ａの上端部は該金具３の載置片３ｂと等しくなるように形成されている。また本実施例ではベースコンクリート７が支持金具３の載置片３ｂと等しい高さまで充填される。このため、踏段部６のベース部材６ａは実質的にベースコンクリート７によって支持されることとなる。従って、基礎梁２に対する支持金具３の取付間隔を前述の実施例に於ける間隔よりも広くすることが可能である。
【００２３】
ポーチは床部と踏段部とによって構成されている。前記床部は床面と該床面の縁部を規定する縁端部とを一体的に構成することが可能である。即ち、平面的な平部と縁端部を一体化したＬ型或いは箱型のブロックを成形し、このブロックを基礎梁２によって支持することでポーチの床部を形成することが可能である。
【００２４】
しかし、本実施例では、床部を該床部の縁部を規定する縁端部材４と床面を構成する平部材５とによって構成すると共にこれらの部材４，５を基礎梁２の上フランジ２ａに中心振り分けして固定し、前記縁部から延長された踏段部６を支持金具３に固定してポーチを構成している。
【００２５】
上記各部材４〜６としては、予めモルタル層にタイルを張り付けてブロック状に構成されたものを用いることが可能であるが、本実施例では、縁端部材４，平部材５及び踏段部６を、前記各部に対応する形状と寸法を有するプレキャストコンクリート製のブロックからなるベース部材４ａ〜６ａと、標準的な寸法（例えば300 mm× 300mm，600 mm×600 mm等）を有しベース部材４ａ〜６ａの表面に張り付けられるタイルシート４ｂ〜６ｂとによって構成している。
【００２６】
即ち、縁端部材４及び踏段部６はＬ型に成形されたプレキャストコンクリート製のベース部材４ａ，６ａの表面にタイルシート４ｂ，６ｂを張り付けて構成され、平部材５は板状に成形されたプレキャストコンクリート製のベース部材５ａの表面にタイルシート５ｂを張り付けて構成されている。
【００２７】
床部を構成する各ベース部材４ａ，５ａには、基礎梁２の上フランジ２ａに形成したボルト穴２ｄと等しいピッチで夫々ボルト穴４ｃ，５ｃが形成され、また踏段部６を構成するベース部材６ａには基礎梁２のウエブ２ｃに形成されたボルト穴２ｄと等しいピッチでボルト穴６ｃが形成されている。
【００２８】
上記各ベース部材４ａ〜６ａは工場段階で製造されるため、充分に高い寸法精度が確保される。従って、各ベース部材４ａ〜６ａを基礎梁２，支持金具３に取り付けたとき、これらの表面に於けるレベルの精度は、基礎梁２のレベル精度及び各ベース部材４ａ〜６ａの寸法精度に依存することとなり、充分な信頼性を寄せることが可能である。
【００２９】
上記各タイルシート４ｂ〜６ｂは、所定の寸法を持った複数のタイルをシート状の合成樹脂或いはゴムに接着して構成されている。各タイルシート４ｂ〜６ｂは各ベース部材４ａ〜６ａに対し、工場段階で張り付ける場合と、現場段階で張り付ける場合とがある。更に、前記したシート状の合成樹脂を用いることなく、工場段階でタイルを直接プレキャストコンクリート製のベース層に打ち込む場合もある。
【００３０】
本実施例では、踏段部６のベース部材６ａを支持金具３に載置してボルト10ａをナット11に螺合して該部材６ａを支持金具３に締結し、また縁端部材４のベース部材４ａを基礎梁２の上フランジ２ａに載置してボルト10ａ，ナット10ｂによって該梁２に固定し、更に、平部材５のベース部材５ａの一方の端部を本体部の梁１のウエブ１ｃに固着した受けアングル８に載置すると共に他方の端部を基礎梁２に載置してボルト10ａ，ナット10ｂによって基礎梁２に固定することによりポーチの下地を構成することが可能である。
【００３１】
上記の如くして基礎梁２及び支持金具３に各ベース部材４ａ〜６ａを固定し、その後、各ベース部材４ａ〜６ａの表面にタイルシート４ｂ〜６ｂを張り付けることで、目的のポーチを完成することが可能である。
【００３２】
次に、本実施例に係るポーチを構成する際の手順について図６を用いて説明する。先ず、本体部の梁１及び基礎梁２の取付構造について説明する。本体部の梁１は端部が予めレベル及び通り共に調整されたプレキャストコンクリート製の土台板13に取り付けた鋼製ポール14に接続され、また基礎梁２は端部が予めレベル及び通り共に調整されたプレキャストコンクリート製の土台板15に取り付けた鋼製ポール９に接続されることで、各梁１，２の天端レベル及び通りが設定されている。
【００３３】
土台板13，15は、予め設計された基礎伏図に従って各梁１，２が交叉する位置に配置され、レベル及び通りが保証される。このような工法としては既に本件出願人が開発して出願した２つの技術がある。
【００３４】
例えば、特願平7-1089号の技術では、土台板の設置位置に地業を施した後、セルフレベリング材を打設して水平面を保証し、その後、硬化したセルフレベリング材の上面に土台板を載置して鋼製ポールを取り付け、該セルフレベリング材上で移動させつつ通りを調整すると共に、必要に応じて土台板と鋼製ポールの間にライナーを介在させて鋼製ポールの上フランジのレベルを調整することで鋼製ポールの上フランジのレベルを保証することが可能である。
【００３５】
また特願平8-168880号の技術では、土台板を設置すべき位置に凹部を設け、この凹部に杭を打ち込んで水盛り等の方法でレベルを保証すると共に該凹部に流動性の良い砂等を充填し、この砂の上から厚さ方向に貫通した孔を有する板材を埋め込み、該板材が杭に当接したとき該板材のレベルを保証することが可能である。従って、前記板材に土台板を載置することによって該土台板のレベルを保証することが可能であり、且つ該土台板に取り付けた鋼製ポール14，９のレベルを保証することも可能である。
【００３６】
従って、土台板13，15を所定位置に設置してレベル及び通りを調整するに際し上記何れの技術を採用しても良い、本実施例では、後者の技術を採用しているため、土台板13，15は夫々独立したレベル板16上に載置されており、土台板13，15に取り付けた鋼製ポール14，９は予め設定されたレベルを保証され、且つ通りも保証される。
【００３７】
そして、上記の如くしてレベル及び通りが保証された鋼製ポール14に本体部の梁１を接続し、且つ鋼製ポール９に基礎梁２を接続したとき、これらの梁１，２のレベル及び通りも保証される。従って、各梁１，２を鋼製ポール14，９に接続するに際し、該ポール14，９を移動させることなく、上フランジ１ａ，２ａを夫々の鋼製ポール14，９の上フランジと同一レベルに揃えることで良く、各梁１，２の接続作業を容易に行うことが可能である。
【００３８】
基礎梁２のウエブ２ｃに支持金具３を固定し、該支持金具３の脚部３ｃの外側の面に形成された支持部３ｄに型枠７ａの突起７ｂを係合させることで、ベースコンクリート７の外周を規定する型枠７ａを取り付ける。
【００３９】
上記の如くして型枠７ａを配置した後、該型枠７ａによって規定された空間にコンクリートが充填され、ベースコンクリート７が形成される。ベースコンクリート７が硬化した後、前述したように、支持金具３に踏段部６のベース部材６ａを取り付けると共に基礎梁２に縁端部材４，平部材５のベース部材４ａ，５ａを取り付け、更に、各ベース部材４ａ〜６ａの表面にタイルシート４ｂ〜６ｂを張り付けることでポーチが構成される。
【００４０】
本実施例に於いて、鋼製ポール14，９の天端レベルは高い精度を持って保証される。このため、鋼製ポール14，９に接続される基礎梁２もレベルが保証されることとなり、単に端縁部材４のベース部材４ａ、平部材５のベース部材５ａを載置するのみで、床部のレベルを設定することが可能となる。即ち、特別なレベル調整を必要とすることがない。従って、隣接する各部材４，５が同レベルとなるため、段差（垂直方向のズレ）が形成されることがない。更に、ベース部材４ａ，５ａに対するタイルシート４ｂ，５ｂを現場で貼っても或いは工場段階で貼っても、段差が形成されることがない。
【００４１】
また水平位置精度が確保された基礎梁２には、予め上フランジ２ａにボルト穴が形成されているため、該ボルト穴に対応させて床部を構成する端縁部材４及び平部材５を載置することによって、各部材４，５の水平方向の位置が設定される。このため、特別に通りを調整する必要がなく、且つ各部材４，５のベース部材４ａ，５ａに目違い（水平方向のズレ）がなくなり、工場段階でタイルを貼った場合であっても目地がズレることがない。
【００４２】
また支持金具３は、レベル精度及び水平位置精度が保証された基礎梁２に取り付けられるため、載置片３ｂのレベルも保証される。従って、載置片３ｂに踏段部６のベース部材６ａを載置することによってレベル及び水平位置が設定され、特別な調整を必要としない。このため、隣接する踏段部６のベース部材６ａの間に段差（垂直方向のズレ）や傾きが生じることがなく、現場でタイルシートを貼った場合であっても、或いは工場段階で貼った場合であっても、段差や目違いが生じることがない。
【００４３】
上記実施例では、基礎梁２が鋼製のＨ形鋼によって構成されている場合について説明したが、本発明のポーチの構造では、基礎梁２が必ずしも鋼製である必要はなく、プレキャストコンクリート製であっても良い。このように、基礎梁２としてプレキャストコンクリート製の梁を用いた場合、該梁が工場生産されるため、高い寸法精度を保証することが可能であり、鋼製梁を用いた場合と同様に天端レベルの精度を確保することが可能である。
【００４４】
尚、基礎梁２としてプレキャストコンクリート製の梁を用いる場合、該梁の側面に予め所定のピッチで複数のナットをインサート成形しておき、該ナットに支持金具３を取り付けるように構成することが好ましい。またナットをインサート成形しない場合には、鋼板をインサート成形しておきタッピングビスを用いて支持金具３を取り付けることが好ましい。
【００４５】
【発明の効果】
以上詳細に説明したように本発明に係るポーチ又はテラスの構造では、基礎梁を設けると共に該基礎梁にコンクリートの型枠を支持する支持部を有する支持金具を取り付け、床部を基礎梁によって支持すると共に踏段部を支持金具によって支持し、該支持金具を埋設して踏段部の裏側にコンクリートを充填することで、床部や踏段部を構成する部材をレベル及び通りの調整を不要とすることが出来る。このため、技量の差に影響されることなく安定した精度を持ったポーチ又はテラスを構成することが出来、工期の短縮化を実現すると共に施工コストを削減することが出来る。
【００４６】
踏段部が基礎梁に取り付けた支持金具によって支持されると共に、実質的にベースコンクリートによって支持されるため、極めて高い安定性を発揮し、経時的に踏段部のみが床部よりも沈下することがない。このため、踏段部と床部を構成する縁端部の間にクラックが生じることがない。
【００４７】
また基礎梁に対する支持金具の取付数を削減することが出来、且つ取り付けた踏段部の安定性を更に向上することが出来る。
【図面の簡単な説明】
【図１】  ポーチの構造を示す断面図である。
【図２】  ポーチの構造を説明する斜視図である。
【図３】  ポーチの平面図である。
【図４】  プレキャストコンクリート製のベース部材を説明する図である。
【図５】  基礎梁に結合した支持金具の斜視図である。
【図６】  ポーチを構成する際の施工手順を説明する図である。
【図７】  従来のポーチの構造を説明する断面図である。
【符号の説明】
１                      本体部の梁
２                      基礎梁
３                      支持金具
３ａ                    取付片
３ｂ                    載置片
３ｃ                    脚片
３ｄ                    支持部
４                      縁端部材
４ａ〜６ａ              ベース部材
４ｂ〜６ｂ              タイルシート
５                      平部材
６                      踏段部
７                      ベースコンクリート
７ａ                    型枠
７ｂ                    突起
８                      受けアングル
９，14                  鋼製ポール
10ａ                    ボルト
10ｂ，11                ナット
13，15                  土台板
16                      レベル板
【図１】
0003759793.tif 000002
【図２】
0003759793.tif 000003
【図３】
0003759793.tif 000004
【図４】
0003759793.tif 000005
【図５】
0003759793.tif 000006
【図６】
0003759793.tif 000007
【図７】
0003759793.tif 000008